(57)【要約】【課題】番組で紹介された場所に関する情報を登録したユーザに対して、自分が過去に登録した情報の存在を思い出させることができる、番組情報案内装置を提供すること。【解決手段】番組情報案内装置１は、渋滞中の道路を特定するための渋滞道路情報を取得する道路情報取得部６１と、番組情報を取得する番組情報取得部６２と、番組情報取得部６２によって取得された番組情報の中で、ユーザにより登録すると指定された番組情報を登録番組情報として格納する番組情報ＤＢ７２と、番組情報ＤＢ７２に格納されている登録番組情報に基づき、登録番組情報に含まれる場所の位置を特定する位置特定部６３と、道路情報取得部６１によって取得された渋滞道路情報に基づいて特定される渋滞中の道路と、位置特定部６３により特定された位置とに基づき、番組情報ＤＢ７２に格納されている登録番組情報を選択し、当該選択した登録番組情報を案内するための制御を行う制御部６０とを備える。【選択図】図１
2011199665.tif 000002
【特許請求の範囲】
【請求項１】
渋滞中の道路を特定するための渋滞道路情報を取得する道路情報取得手段と、
番組情報を取得する番組情報取得手段と、
前記番組情報取得手段によって取得された番組情報の中で、ユーザにより登録すると指定された番組情報を登録番組情報として格納する番組情報格納手段と、
前記番組情報格納手段に格納されている登録番組情報に基づき、当該登録番組情報に含まれる場所の位置を特定する位置特定手段と、
前記道路情報取得手段によって取得された渋滞道路情報に基づいて特定される前記渋滞中の道路と、前記位置特定手段により特定された位置とに基づき、前記番組情報格納手段に格納されている登録番組情報を選択し、当該選択した登録番組情報を案内するための制御を行う制御手段と、
を備える番組情報案内装置。
【請求項２】
前記制御手段は、
前記位置特定手段により特定された位置を含む所定範囲内における前記渋滞中の道路の数を特定し、当該特定した数に基づき、前記番組情報格納手段に格納されている登録番組情報を選択する、
請求項１に記載の番組情報案内装置。
【請求項３】
前記制御手段は、
前記位置特定手段により特定された位置を含む所定範囲内における前記渋滞の変化率を特定し、当該特定した変化率に基づき、前記番組情報格納手段に格納されている登録番組情報を選択する、
請求項１又は２に記載の番組情報案内装置。
【請求項４】
前記道路情報取得手段は、
渋滞の原因を特定する渋滞原因情報を取得し、
前記制御手段は、
前記道路情報取得手段によって取得された渋滞原因情報に基づいて前記渋滞中の道路の渋滞の原因を特定し、当該特定した渋滞の原因に基づき、前記番組情報格納手段に格納されている登録番組情報を選択する、
請求項１から３のいずれか一項に記載の番組情報案内装置。
【請求項５】
前記道路情報取得手段は、
前記番組情報取得手段によって取得された番組情報に基づいて前記渋滞道路情報を取得する、
請求項１から４のいずれか一項に記載の番組情報案内装置。
【請求項６】
前記制御手段は、
前記番組情報格納手段に格納されてから閾値以上の時間が経過している前記登録番組情報のみを対象として選択する、
請求項１から５のいずれか一項に記載の番組情報案内装置。
【請求項７】
渋滞中の道路を特定するための渋滞道路情報を取得する道路情報取得ステップと、
番組情報を取得する番組情報取得ステップと、
前記番組情報取得ステップで取得された番組情報の中で、ユーザにより登録すると指定された番組情報を登録番組情報として記憶手段に格納する番組情報格納ステップと、
前記番組情報格納ステップで前記記憶手段に格納された登録番組情報に基づき、当該登録番組情報に含まれる場所の位置を特定する位置特定ステップと、
前記道路情報取得ステップによって取得された渋滞道路情報に基づいて特定される前記渋滞中の道路と、前記位置特定ステップで特定された位置とに基づき、前記番組情報格納ステップで前記記憶手段に格納された登録番組情報を選択し、当該選択した登録番組情報を案内するための制御を行う制御ステップと、
を含む番組情報案内方法。
【請求項８】
請求項７に記載の方法をコンピュータに実行させる番組情報案内プログラム。
【発明の詳細な説明】
【技術分野】
【０００１】
本発明は、番組情報案内装置、番組情報案内方法、及び番組情報案内プログラムに関する。
【背景技術】
【０００２】
従来、デジタル放送に含まれている位置情報をユーザが登録しておき、この登録された位置情報を後から呼び出してユーザに案内するシステムが提案されている。このようなシステムとして、例えば、特許文献１には、ユーザがデジタル放送の番組を視聴中に、当該番組で放送されている旅行先に興味を持った場合において、ユーザがこの旅行先の記録をテレビ端末に指示すると、デジタル放送から当該旅行先の情報を記録し、後日、ユーザがドライブに行く時には、記録した旅行先情報を取得して経路設定等を行うことができるシステムが開示されている。
【先行技術文献】
【特許文献】
【０００３】
【特許文献１】特開２００４−２９００６号公報
【発明の概要】
【発明が解決しようとする課題】
【０００４】
しかし、特許文献１の如き従来のシステムでは、ユーザが興味を持った旅行先の旅行先情報を登録した後、その登録からある程度の日数が経過した場合や、その登録数がさらに増えた場合には、ユーザがその旅行先を過去に登録したこと自体を忘れてしまったり、登録したこと自体は覚えていてもその内容を忘れてしまっているために、登録した情報を適切に呼び出すことができず、せっかく登録した旅行先情報を有効に活用することができない場合があった。
【０００５】
本発明は、上記に鑑みてなされたものであって、番組で紹介された場所に関する情報を登録したユーザに対して、自分が過去に登録した情報の存在を思い出させることができる、番組情報案内装置、番組情報案内方法、及び番組情報案内プログラムを提供することを目的とする。
【課題を解決するための手段】
【０００６】
上述した課題を解決し、目的を達成するために、請求項１に記載の番組情報案内装置は、渋滞中の道路を特定するための渋滞道路情報を取得する道路情報取得手段と、番組情報を取得する番組情報取得手段と、前記番組情報取得手段によって取得された番組情報の中で、ユーザにより登録すると指定された番組情報を登録番組情報として格納する番組情報格納手段と、前記番組情報格納手段に格納されている登録番組情報に基づき、当該登録番組情報に含まれる場所の位置を特定する位置特定手段と、前記道路情報取得手段によって取得された渋滞道路情報に基づいて特定される前記渋滞中の道路と、前記位置特定手段により特定された位置とに基づき、前記番組情報格納手段に格納されている登録番組情報を選択し、当該選択した登録番組情報を案内するための制御を行う制御手段とを備える。
【０００７】
また、請求項２に記載の番組情報案内装置は、請求項１に記載の番組情報案内装置において、前記制御手段は、前記位置特定手段により特定された位置を含む所定範囲内における前記渋滞中の道路の数を特定し、当該特定した数に基づき、前記番組情報格納手段に格納されている登録番組情報を選択する。
【０００８】
また、請求項３に記載の番組情報案内装置は、請求項１又は２に記載の番組情報案内装置において、前記制御手段は、前記位置特定手段により特定された位置を含む所定範囲内における前記渋滞の変化率を特定し、当該特定した変化率に基づき、前記番組情報格納手段に格納されている登録番組情報を選択する。
【０００９】
また、請求項４に記載の番組情報案内装置は、請求項１から３のいずれか一項に記載の番組情報案内装置において、前記道路情報取得手段は、渋滞の原因を特定する渋滞原因情報を取得し、前記制御手段は、前記道路情報取得手段によって取得された渋滞原因情報に基づいて前記渋滞中の道路の渋滞の原因を特定し、当該特定した渋滞の原因に基づき、前記番組情報格納手段に格納されている登録番組情報を選択する。
【００１０】
また、請求項５に記載の番組情報案内装置は、請求項１から４のいずれか一項に記載の番組情報案内装置において、前記道路情報取得手段は、前記番組情報取得手段によって取得された番組情報に基づいて前記渋滞道路情報を取得する。
【００１１】
また、請求項６に記載の番組情報案内装置は、請求項１から５のいずれか一項に記載の番組情報案内装置において、前記制御手段は、前記番組情報格納手段に格納されてから閾値以上の時間が経過している前記登録番組情報のみを対象として選択する。
【００１２】
また、請求項７に記載の番組情報案内方法は、渋滞中の道路を特定するための渋滞道路情報を取得する道路情報取得ステップと、番組情報を取得する番組情報取得ステップと、前記番組情報取得ステップで取得された番組情報の中で、ユーザにより登録すると指定された番組情報を登録番組情報として記憶手段に格納する番組情報格納ステップと、前記番組情報格納ステップで前記記憶手段に格納された登録番組情報に基づき、当該登録番組情報に含まれる場所の位置を特定する位置特定ステップと、前記道路情報取得ステップによって取得された渋滞道路情報に基づいて特定される前記渋滞中の道路と、前記位置特定ステップで特定された位置とに基づき、前記番組情報格納ステップで前記記憶手段に格納された登録番組情報を選択し、当該選択した登録番組情報を案内するための制御を行う制御ステップとを含む。
【００１３】
また、請求項８に記載の番組情報案内プログラムは、請求項７に記載の方法をコンピュータに実行させる。
【発明の効果】
【００１４】
請求項１に記載の番組情報案内装置、請求項７に記載の番組情報案内方法、又は請求項８に記載の番組情報案内プログラムによれば、道路情報取得手段によって取得された渋滞道路情報に基づいて特定される渋滞中の道路と、ユーザの指定により登録された登録番組情報に含まれる場所の位置とに基づき、番組情報格納手段に格納されている登録番組情報を選択し、当該選択した登録番組情報を案内するための制御を行うので、周辺の道路が渋滞中であることから旬と考えられる場所に関する登録番組情報を案内することができる。このことにより、番組で紹介された場所に関する情報を登録したユーザに対して、自分が過去に登録した情報の存在を思い出させることができる。
【００１５】
請求項２に記載の番組情報案内装置によれば、ユーザの指定により登録された登録番組情報に含まれる場所の位置を含む所定範囲内における渋滞中の道路の数を特定し、当該特定した数に基づき、番組情報格納手段に格納されている登録番組情報を選択するので、例えば周辺の道路の多くで渋滞が発生している場所に関する登録番組情報を選択することができる。これにより、特に人気があり旬と考えられる場所に関する情報を案内することができ、ユーザにとって有用な情報を案内することができる。
【００１６】
請求項３に記載の番組情報案内装置によれば、ユーザの指定により登録された登録番組情報に含まれる場所の位置を含む所定範囲内における渋滞の変化率を特定し、当該特定した変化率に基づき、番組情報格納手段に格納されている登録番組情報を選択するので、例えば周辺の道路で渋滞が増加中の場所、すなわち人気が増してきておりこれからが旬と考えられる場所に関する情報を案内することができる。あるいは、周辺道路で渋滞が減少中の場所、すなわち人気のピークは過ぎたと考えられ、旬のうちに渋滞に煩わされることなく到着することが可能と考えられる場所に関する情報を案内することができる。これにより、ユーザにとって有用な情報を案内することができる。
【００１７】
請求項４に記載の番組情報案内装置によれば、道路情報取得手段によって取得された渋滞原因情報に基づいて渋滞中の道路の渋滞の原因を特定し、当該特定した渋滞の原因に基づき、番組情報格納手段に格納されている登録番組情報を選択するので、例えば事故や工事等に起因する渋滞を除外し、場所に起因して発生した可能性が高い渋滞のみに基づいて登録番組情報を選択することができる。従って、旬な場所に関する登録番組情報を確実に選択することができる。
【００１８】
請求項５に記載の番組情報案内装置によれば、番組情報取得手段によって取得された番組情報に基づいて渋滞道路情報を取得するので、最新の渋滞道路情報を取得することができ、ユーザにとって有用な情報を案内することができる。
【００１９】
請求項６に記載の番組情報案内装置によれば、番組情報格納手段に格納されてから閾値以上の時間が経過している登録番組情報のみを対象として選択するので、ユーザが視聴してからの経過時間が短く、ユーザ自身が覚えている登録番組情報については案内の対象から除外することができる。従って、ユーザにとって煩雑ではないタイミングで登録番組情報を案内することができる。
【図面の簡単な説明】
【００２０】
【図１】実施の形態１に係る番組情報案内装置を例示するブロック図である。
【図２】番組情報ＤＢに格納されている情報を例示した表である。
【図３】番組情報登録処理のフローチャートである。
【図４】案内制御処理のフローチャートである。
【図５】ＰＯＩの位置を含む所定範囲内における渋滞中の道路を例示した図である。
【図６】ＰＯＩの位置を含む所定範囲内における渋滞の変化を例示した図であり、図６（ａ）は「ＰＯＩ１」の位置を含む所定範囲内における渋滞の変化を示した図、図６（ｂ）は「ＰＯＩ２」の位置を含む所定範囲内における渋滞の変化を示した図である。
【図７】案内制御部による制御に基づき登録番組情報が出力されたディスプレイを例示した図である。
【図８】案内制御処理のフローチャートである。
【図９】ＰＯＩの位置を含む所定範囲内における新設された道路を例示した図である。
【図１０】案内制御部による制御に基づき登録番組情報が出力されたディスプレイを例示した図である。
【発明を実施するための形態】
【００２１】
以下、本発明に係る番組情報案内装置、番組情報案内方法、及び番組情報案内プログラムの各実施の形態について図面を参照しつつ詳細に説明する。ただし、これらの各実施の形態によって本発明が限定されるものではない。
【００２２】
〔実施の形態１〕
まず、実施の形態１について説明する。この実施の形態１は、渋滞中の道路と、登録番組情報に含まれる場所の位置とに基づき、番組情報格納手段に格納されている登録番組情報を選択する形態である。
【００２３】
（構成）
まず、実施の形態１に係る番組情報案内装置の構成を説明する。図１は、実施の形態１に係る番組情報案内装置を例示するブロック図である。この番組情報案内装置１は、操作部１０、番組受信部２０、通信部３０、スピーカ４０、ディスプレイ５０、制御部６０、及びデータ記録部７０を備えている。
【００２４】
（構成−操作部）
操作部１０は、ユーザによる操作入力を受け付ける操作手段である。この操作部１０の具体的な構成は任意であり、例えば、ディスプレイ５０の前面に設けたタッチパネル、押しボタン、リモートコントローラの如き遠隔操作手段、あるいは、音声入力を受け付けるマイクの如き音声認識手段を用いて操作部１０を構成することができる。
【００２５】
（構成−番組受信部）
番組受信部２０は、番組を受信する番組受信手段である。ここで、「番組」とは、ＴＶ番組やラジオ番組を含むものであるが、これらに限定されず任意の放送形態による番組を含む。また、「番組」は、放送局から放送された番組（以下、「一次番組」）と、一次番組を中継や録画再生する機器から出力された番組（以下、「二次番組」）を含む。本実施の形態１においては、番組受信部２０は、一次番組を取得するためのアンテナ及びチューナーを有する放送受信手段として構成されているが、二次番組を外部機器から受信するための受信用のインターフェースとして構成されてもよい。
【００２６】
この「番組」に関する情報を、ここでは「番組情報」と称する。この番組情報は、「番組本体情報」と「番組付随情報」を含む。「番組本体情報」とは、番組本体を構成する情報であって、例えば、番組がＴＶ番組である場合には、当該ＴＶ番組を構成する音声情報や映像情報が該当し、番組がラジオ番組である場合には、当該ラジオ番組を構成する音声情報が該当する。また、「番組付随情報」とは、番組に付随する情報であって、例えば、番組が地上デジタル放送やＢＳデジタル放送によるデジタルＴＶ番組である場合には、文字データ放送等を行うための文字情報、デジタル信号にパケットとして挿入されるＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）、あるいは、番組放送に伴い付随的に配信される情報（メタ情報）が該当する。ＳＩには、例えば、電子番組表（ＥＰＧ：Ｅｌｅｃｔｒｏｎｉｃ  Ｐｒｏｇｒａｍ  Ｇｕｉｄｅ）を作成する元データとなり得るＥＩＴ（Ｅｖｅｎｔ  Ｉｎｆｏｒｍａｔｉｏｎ  Ｔａｂｌｅ）が含まれる。ここで、番組付随情報には、例えば、番組で紹介される場所（ＰＯＩ：Ｐｏｉｎｔ  Ｏｆ  Ｉｎｔｅｒｅｓｔ）を一意に識別する「ＰＯＩ  ＩＤ」、「ＰＯＩ名称」、「住所（ここでは、ＰＯＩの位置を特定するための情報）」、「ＰＯＩジャンル」、「番組名」、「番組ジャンル」、「放送局名称（ここでは、番組の放送局を特定するための情報）」、「放送時期（ここでは、番組の放送日を特定するための情報）」、「出演者名」等が含まれる。
【００２７】
（構成−通信部）
通信部３０は、外部の通信装置（例えば、既知のコンピュータ、移動体通信端末、あるいは、カー番組情報案内サービスを統括する統括センター）との間で、各種情報を通信するための通信手段であり、公知の無線通信装置を用いることができる。
【００２８】
（構成−スピーカ）
スピーカ４０は、制御部６０の制御に基づいて各種の音声を出力する出力手段である。スピーカ４０より出力される音声の具体的な態様は任意であり、必要に応じて生成された合成音声や、予め録音された音声を出力することができる。
【００２９】
（構成−ディスプレイ）
ディスプレイ５０は、制御部６０の制御に基づいて各種の画像を表示する表示手段である。なお、このディスプレイ５０の具体的な構成は任意であり、公知の液晶ディスプレイや有機ＥＬディスプレイの如きフラットパネルディスプレイを使用することができる。
【００３０】
（構成−制御部）
制御部６０は、番組情報案内装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る番組情報案内プログラムは、任意の記録媒体又はネットワークを介して番組情報案内装置１にインストールされることで、制御部６０の各部を実質的に構成する。
【００３１】
この制御部６０は、機能概念的に、道路情報取得部６１、番組情報取得部６２、位置特定部６３、及び案内制御部６４を備えている。道路情報取得部６１は、渋滞中の道路を特定するための渋滞道路情報を取得する道路情報取得手段である。番組情報取得部６２は、番組付随情報を含む番組情報を取得する番組情報取得手段である。位置特定部６３は、登録番組情報に含まれる場所の位置を特定する位置特定手段である。ここで「登録番組情報」とは、番組情報取得部６２によって取得された番組情報の中で、ユーザの指定により登録された番組情報を意味する。案内制御部６４は、登録番組情報を案内するための制御を行う制御手段である。これらの制御部６０の各構成要素によって実行される処理の詳細については後述する。
【００３２】
（構成−データ記録部）
データ記録部７０は、番組情報案内装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００３３】
このデータ記録部７０は、地図情報データベース（以下、データベースを「ＤＢ」と称する）７１、及び番組情報ＤＢ７２を備えている。
【００３４】
地図情報ＤＢ７１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、自宅、駐車場、コンビニ、ガソリンスタンド、レストラン、レジャー施設等の施設を案内するための施設データ（各施設の位置、各施設の種別、及び各施設を示すアイコンの描画情報を相互に関連付けた情報を含む）、地形データ、地図をディスプレイ５０に表示するための地図表示データ等を含んで構成されている。
【００３５】
番組情報ＤＢ７２は、番組情報取得部６２によって取得された番組情報の中で、ユーザにより登録すると指定された番組情報を登録番組情報として格納する番組情報格納手段である。図２は番組情報ＤＢ７２に格納されている情報を例示した表である。図２に示すように、番組情報ＤＢ７２には、項目「ＰＯＩ  ＩＤ」、「ＰＯＩ名称」、「住所」、「ＰＯＩジャンル」、「番組名」、「番組ジャンル」、「放送局名称」、「登録日」、「放送時期」、及び「出演者名」に対応する情報が相互に関連付けて格納されている。項目「ＰＯＩ  ＩＤ」に対応して格納される情報は、ＰＯＩを一意に識別するための識別情報である。項目「ＰＯＩ名称」に対応して格納される情報は、ＰＯＩの名称を示す情報である。項目「住所」に対応して格納される情報は、ＰＯＩの位置を特定する情報であり、例えば住所情報が格納される。また、住所情報に代えてＰＯＩの座標情報を格納してもよい。項目「ＰＯＩジャンル」に対応して格納される情報は、ＰＯＩのジャンルを特定する情報であり、例えば図２に示すように「グルメ」、「レジャー」、「ニュース」等が格納される。項目「番組名」に対応して格納される情報は、ＰＯＩが紹介された番組の名称を示す情報である。項目「番組ジャンル」に対応して格納される情報は、ＰＯＩが紹介された番組のジャンルを特定する情報である。本実施の形態１では、上述の「ＰＯＩジャンル」と「番組ジャンル」とは共通のジャンル名を用いて分類されているが、それぞれ異なるジャンル名を用いて分類してもよい。項目「放送局名称」に対応して格納される情報は、ＰＯＩが紹介された番組の放送局を示す情報である。項目「登録日」に対応して格納される情報は、ユーザによってＰＯＩが番組情報ＤＢ７２に登録された日時を示す情報である。項目「放送時期」に対応して格納される情報は、ＰＯＩが紹介された番組が放送された時期を示す情報であり、例えば、番組が放送された月、番組が放送された季節、又は番組が放送された長期連休である。図２では、番組が放送された月を格納する例を示しており、番組放送日が「２００９年８月１日」である場合には、番組が放送された月は「８月」と特定され格納される。また、番組が放送された季節を格納する場合や、番組が放送された長期連休を格納する場合、例えば、データ記録部７０には図示しない時期テーブルが格納されており、この時期テーブルは、日付と、当該番組が放送された日に対応する季節及び長期連休とを、相互に対応付けて構成されていて（日付＝５月５日に対して、季節＝春、長期連休＝ゴールデンウィーク等）、この時期テーブルを参照して、番組放送日に対応する季節や長期連休が特定され格納される。項目「出演者名」に対応して格納される情報は、ＰＯＩが紹介された番組の出演者を示す情報である。
【００３６】
（処理）
次に、このように構成された番組情報案内装置１によって実行される処理について説明する。この処理は、番組情報登録処理、及び案内制御処理に大別される。なお、特記しない制御に関しては、番組情報案内装置１の制御部６０が行うこととする。
【００３７】
（処理−番組情報登録処理）
最初に、番組情報登録処理について説明する。図３は番組情報登録処理のフローチャートである（以下の各処理の説明ではステップを「Ｓ」と略記する）。この番組情報登録処理は、ユーザにより登録すると指定された番組情報を登録番組情報として番組情報ＤＢ７２に格納する処理であり、例えば操作部１０を介した指示入力に基づき番組受信部２０により番組の受信が開始され、ディスプレイ５０やスピーカ４０を介して番組の出力が開始された場合に、所定周期にて繰り返し起動される。
【００３８】
番組情報登録処理が開始されると、番組情報取得部６２は番組受信部２０によって受信された番組の番組付随情報を取得し（ＳＡ１）、その番組付随情報にＰＯＩに関する情報が含まれているか否かを判定する（ＳＡ２）。ここで、「ＰＯＩに関する情報」には、例えば「ＰＯＩ  ＩＤ」、「ＰＯＩ名称」、「住所」、「放送局名称」、「放送時期」が含まれるものとする。
【００３９】
その結果、ＰＯＩに関する情報が含まれていない場合（ＳＡ２、Ｎｏ）、当該番組は番組情報の登録の対象外であるものとし、制御部６０は番組情報登録処理を終了する。
【００４０】
一方、番組付随情報にＰＯＩに関する情報が含まれている場合（ＳＡ２、Ｙｅｓ）、制御部６０は、その番組付随情報がユーザにより登録すると指定されたか否かを判定する（ＳＡ３）。例えば、番組を出力中のディスプレイ５０に登録ボタンを重畳表示させ、ユーザによって登録ボタンが押された場合にその番組の番組付随情報がユーザにより登録すると指定されたと判定する。あるいは、その番組付随情報がユーザにより予め設定されている条件を満たしている場合に（例えば、その番組付随情報の「放送局名称」が、ユーザにより予め設定されている放送局名称と一致する場合等）、その番組の番組付随情報がユーザにより登録すると指定されたと判定する。
【００４１】
その結果、番組付随情報がユーザにより登録すると指定されていない場合（ＳＡ３、Ｎｏ）、当該番組付随情報を登録する必要がないものとし、制御部６０は番組情報登録処理を終了する。
【００４２】
一方、番組付随情報がユーザにより登録すると指定された場合（ＳＡ３、Ｙｅｓ）、制御部６０はその番組付随情報を登録番組情報として番組情報ＤＢ７２に格納する（ＳＡ４）。その後、制御部６０は番組情報登録処理を終了する。
【００４３】
（処理−案内制御処理）
次に、案内制御処理について説明する。図４は案内制御処理のフローチャートである。この案内制御処理は、登録番組情報を案内する処理であり、例えば番組情報案内装置１の電源が投入された場合に起動される。
【００４４】
案内制御処理が開始されると、案内制御部６４は番組情報ＤＢ７２を参照し、番組情報ＤＢ７２に格納されてから閾値以上の日数が経過している登録番組情報があるか否かを判定する（ＳＢ１）。番組情報ＤＢ７２に格納されてからの経過日数の特定方法は任意で、例えば登録番組情報に含まれる「登録日」から現在までの日数を経過日数とする。この閾値としては、ユーザが登録番組情報を登録してから、自分が登録番組情報を登録したこと自体を忘れる可能性がある日数であって、当該日数が経過した後に登録番組情報をユーザに案内することで、ユーザに当該登録番組情報を登録したことを思い出させるために有効な日数が設定され、例えば、６カ月が設定される。ここでは日数単位での判定を行っているが、時間単位での判定を行うようにしてもよく、この場合には、例えば、登録番組情報にはＰＯＩの登録日時を格納しておき、この登録日時から現在日時までの時間を経過時間として、閾値以上の時間が経過しているか否かを判定してもよい。
【００４５】
その結果、番組情報ＤＢ７２に格納されてから閾値以上の日数が経過している登録番組情報がない場合（ＳＢ１、Ｎｏ）、登録番組情報を案内するタイミングではないものとし、案内制御部６４は案内制御処理を終了する。
【００４６】
一方、番組情報ＤＢ７２に格納されてから閾値以上の日数が経過している登録番組情報がある場合（ＳＢ１、Ｙｅｓ）、道路情報取得部６１は、渋滞道路情報、及び渋滞原因情報を取得する（ＳＢ２）。ここで、「渋滞道路情報」とは渋滞中の道路を特定するための情報であり、「渋滞原因情報」とは渋滞の原因を特定するための情報である。道路情報取得部６１は、これらの渋滞道路情報及び渋滞原因情報を、例えば公知の情報センタ（図示省略）から配信された交通情報に基づいて取得する。あるいは、番組本体情報に含まれる映像情報を対象とする画像解析、番組本体情報に含まれる音声情報を対象とする音声解析、番組付随情報を対象とする文字認識や言語解析等により、渋滞道路情報や渋滞原因情報を取得してもよい。
【００４７】
次に、案内制御部６４は、道路情報取得部６１によって取得された渋滞道路情報に基づき、渋滞中の道路を特定する。さらに、道路情報取得部６１によって取得された渋滞原因情報に基づき渋滞中の道路の渋滞の原因を特定し、事故又は工事以外の原因により渋滞中の道路を特定する（ＳＢ３）。
【００４８】
続いて位置特定部６３は、番組情報ＤＢ７２に格納されてから閾値以上の時間が経過している登録番組情報に含まれるＰＯＩの位置を特定する（ＳＢ４）。例えば位置特定部６３は、登録番組情報に含まれる「住所」に基づき、ＰＯＩの位置を特定する。
【００４９】
次に、案内制御部６４は、ＳＢ３で特定した渋滞中の道路と、ＳＢ４で特定したＰＯＩの位置とに基づき、ＰＯＩの位置を含む所定範囲内における渋滞中の道路の割合を特定する。そして、特定した渋滞中の道路の割合が閾値以上のＰＯＩに対応する登録番組情報を選択する（ＳＢ５）。ここで、「ＰＯＩの位置を含む所定範囲」とは、そのＰＯＩに起因して渋滞が発生し得る範囲であり、例えばＰＯＩを中心とする半径１０ｋｍ以内の範囲をいう。また、「渋滞中の道路の割合」は、例えば、ＰＯＩの位置を含む所定範囲に存在する全ての道路リンク数で、当該全ての道路リンク数の中で渋滞中の道路の道路リンク数を除算することで求めることができる。あるいは、道路リンク数ではなく、所定数の道路リンク数の集合体としての道路の数に基づいて判定を行ってもよく、例えば、ＰＯＩの位置を含む所定範囲に存在する全ての道路の数で、当該全ての道路の中で渋滞中の道路の数を除算することで求めることができる。また、ＰＯＩの位置を含む所定範囲に存在する全ての道路の道路リンクの合計長さで、当該全ての道路の中で渋滞中の道路の道路リンクの合計長さを除算することで求めることができる。あるいは、ＰＯＩの位置を含む所定範囲に存在する全ての道路の合計長さで、当該全ての道路の中で渋滞中の道路の合計長さを除算することで求めることができる。また、渋滞中の道路の割合の「閾値」の具体的な値は任意で、例えば２０％を閾値とする。
【００５０】
図５は、ＰＯＩの位置を含む所定範囲内における渋滞中の道路リンクを例示した図である。図５の例では、「ＰＯＩ１」を含む所定範囲（点線で囲まれた範囲）における渋滞中の道路リンク数は７本、「ＰＯＩ２」を含む所定範囲における渋滞中の道路リンク数は２本、「ＰＯＩ３」を含む所定範囲における渋滞中の道路リンク数は４本となっている。この所定範囲に含まれる全ての道路リンク数を１０とした場合（ただし、渋滞中でない道路のリンクは図示を省略する）、「ＰＯＩ１」を含む所定範囲における渋滞中の道路リンク数の割合は７０％、「ＰＯＩ２」を含む所定範囲における渋滞中の道路リンク数の割合は２０％、「ＰＯＩ３」を含む所定範囲における渋滞中の道路リンク数の割合は４０％であり、これらのＰＯＩについては全て渋滞中の道路の割合が閾値以上となっているため、これらのＰＯＩに対応する登録番組情報が選択される。
【００５１】
図４に戻り、案内制御部６４は、ＳＢ２で道路情報取得部６１によって取得された渋滞道路情報に基づき、ＳＢ４で特定したＰＯＩの位置を含む所定範囲内における渋滞の変化率を特定する。そして、特定した変化率が閾値以上のＰＯＩに対応する登録番組情報を選択する（ＳＢ６）。
【００５２】
ここで、「渋滞の変化率」とは、渋滞の程度の変化を数値で表したものである。例えば、案内制御部６４が、ＳＢ４で特定したＰＯＩの位置を含む所定範囲内において１日の間で渋滞した道路の数を渋滞道路情報に基づいて日毎に集計し、データ記録部７０に記録しておく。そして、１日の間で渋滞した道路の数の所定期間内における増減を「渋滞の変化率」として特定する。この場合、例えば１日の間で渋滞した道路の数が現在日までの１週間で５本以上増減した場合に渋滞の変化率が閾値以上と判断する。
【００５３】
あるいは、案内制御部６４が、ＳＢ４で特定したＰＯＩの位置を含む所定範囲内における全道路の渋滞度の１日の平均値を渋滞道路情報に基づいて日毎に集計し、データ記録部７０に記録しておく。ここで「渋滞度」とは渋滞の程度を示す指標であり、例えば道路の平均車速が１０ｋｍ／ｈ以下（渋滞）の場合に「３」、平均車速が１０ｋｍ／ｈ以上２０ｋｍ／ｈ未満（混雑）の場合に「２」、平均車速が２０ｋｍ／以上（順調）の場合に「１」として表される。この渋滞度の１日の平均値の所定期間内における増減を「渋滞の変化率」として特定する。この場合、例えば渋滞度の１日の平均値が現在日までの１週間で１以上増減した場合に渋滞の変化率が閾値以上と判断する。
【００５４】
図６はＰＯＩの位置を含む所定範囲内における渋滞の変化を例示した図であり、図６（ａ）は「ＰＯＩ１」の位置を含む所定範囲内における渋滞の変化を示した図、図６（ｂ）は「ＰＯＩ２」の位置を含む所定範囲内における渋滞の変化を示した図である。図６は、１日の間で渋滞した道路の数（道路リンク数）の所定期間内における増減を渋滞の変化率とした場合を例示している。この図６によれば、ＰＯＩ１を含む所定範囲における渋滞の変化率は「現在日までの１週間で６本増加」である。よって、「現在日までの１週間で５本以上の増減」とした閾値以上と判断する。また、ＰＯＩ２を含む所定範囲における渋滞の変化率は「現在日までの１週間で７本減少」である。よって、こちらも「現在日までの１週間で５本以上の増減」とした閾値以上と判断する。
【００５５】
図４に戻り、案内制御部６４は、ＳＢ５又はＳＢ６で選択された登録番組情報があるか否かを判定する（ＳＢ７）。その結果、選択された登録番組情報がない場合（ＳＢ７、Ｎｏ）、案内を行う必要がないものとし、案内制御部６４は案内制御処理を終了する。
【００５６】
一方、ＳＢ５又はＳＢ６で選択された登録番組情報がある場合、案内制御部６４はＳＢ５及びＳＢ６で複数の登録番組情報が選択されたか否かを判定する（ＳＢ８）。その結果、複数の登録番組情報が選択された場合（ＳＢ８、Ｙｅｓ）、案内制御部６４は、ＰＯＩの位置を含む所定範囲内における渋滞中の道路の割合、又は渋滞の変化率の順に、そのＰＯＩに対応する登録番組情報を並べ替える（ＳＢ９）。
【００５７】
ＳＢ５及びＳＢ６で複数の登録番組情報が選択されなかった場合（すなわち１つの登録番組情報が選択された場合）（ＳＢ８、Ｎｏ）、又はＳＢ９の処理の後、案内制御部６４は、選択した登録番組情報を案内するための制御を行う（ＳＢ１０）。図７は、案内制御部６４による制御に基づき登録番組情報が出力されたディスプレイ５０を例示した図である。案内制御部６４による制御の具体的な内容は任意で、例えば図７（ａ）に示すように、ＳＢ５又はＳＢ６で選択された登録番組情報に含まれる「ＰＯＩ名称」や、現在位置からそのＰＯＩまでの距離等をディスプレイ５０に表示させる。ＳＢ５及びＳＢ６で複数の登録番組情報が選択された場合には、ＳＢ９において並べ替えた順に登録番組情報を表示させるようにしてもよい。このような表示を行うことで、ユーザに、自分が過去に登録した登録番組情報の存在を思い出させることが可能となる。
【００５８】
また、ＳＢ５及びＳＢ６で複数の登録番組情報が選択された場合には、図７（ｂ）から図７（ｄ）に示すように、それらの登録番組情報に含まれる「ＰＯＩ名称」等をディスプレイ５０にリスト表示させてもよい。図７（ｂ）はＳＢ５で選択された登録番組情報が案内された場合、図７（ｃ）はＳＢ６で渋滞の変化率（増加傾向）が閾値以上として選択された登録番組情報が案内された場合、図７（ｄ）はＳＢ６で渋滞の変化率（減少傾向）が閾値以上として選択された登録番組情報が案内された場合を示している。この場合、案内制御部６４は、ＳＢ９において並べ替えた順に登録番組情報が表示されるように制御を行う。
【００５９】
例えば図７（ｂ）のようにＳＢ５で選択された登録番組情報を案内することにより、周辺道路の多くが渋滞中のＰＯＩ、すなわち人気が高いと考えられるＰＯＩを案内することができる。また、図７（ｃ）のようにＳＢ６で渋滞の変化率（増加傾向）が閾値以上として選択された登録番組情報を案内することにより、周辺道路で渋滞が増加中のＰＯＩ、すなわち人気が増してきておりこれからが旬と考えられるＰＯＩを案内することができる。また、図７（ｄ）のようにＳＢ６で渋滞の変化率（減少傾向）が閾値以上として選択された登録番組情報を案内することにより、周辺道路で渋滞が減少中のＰＯＩ、すなわち人気のピークは過ぎたと考えられ、旬のうちに渋滞に煩わされることなく到着することが可能と考えられるＰＯＩを案内することができる。
【００６０】
さらに、ディスプレイ５０の表示と併せて、休日の旅行先に適したＰＯＩを含む登録番組情報が番組情報ＤＢ７２に格納されている旨の案内をスピーカ４０から音声出力させてもよい。
【００６１】
図４に戻り、ＳＢ１０で登録番組情報の案内をするための制御を行った後、案内した登録番組情報に含まれるＰＯＩに関する操作（以下、ＰＯＩ操作）が指示されたか否かを判定する（ＳＢ１１）。例えば、所定の複数のＰＯＩ操作の中から、所望のＰＯＩ操作をユーザに選択させるためのＰＯＩ操作メニューをディスプレイ５０に表示する。このＰＯＩ操作の具体的な内容や方法は任意であるが、例えば、番組情報案内装置１をカーナビゲーション装置に適用した場合には、案内した登録番組情報に含まれるＰＯＩを目的地に設定する目的地設定操作、ＰＯＩの周辺の地図表示操作、ＰＯＩの詳細情報表示操作、あるいは、ＰＯＩの編集や削除を行う編集削除操作を挙げることができる。そして、このようにディスプレイ５０に表示したＰＯＩ操作メニューの中で、いずれかのＰＯＩ操作がユーザによって操作部１０を介して選択された場合には、ＰＯＩ操作が指示されたものと判定する。
【００６２】
その結果、ＰＯＩ操作の指示がされていないと判定した場合（ＳＢ１１、Ｎｏ）、ＳＢ１０で案内した登録番組情報についてさらに案内を行う必要はないものとし、案内制御部６４は案内制御処理を終了する。
【００６３】
一方、ＰＯＩ操作の指示がされたと判定した場合（ＳＢ１１、Ｙｅｓ）、案内制御部６４は指示されたＰＯＩ操作に応じた処理を行い（ＳＢ１２）、案内制御処理を終了する。例えば、ＰＯＩ操作として目的地設定操作が指示された場合には、公知の経路探索手段（図示省略）により、ＰＯＩを目的地に設定した走行経路が探索され、その走行経路が案内される。
【００６４】
（効果）
このように実施の形態１によれば、道路情報取得部６１によって取得された渋滞道路情報に基づいて特定される渋滞中の道路と、ユーザにより登録すると指定された登録番組情報に含まれる場所の位置とに基づき、番組情報ＤＢ７２に格納されている登録番組情報を選択し、当該選択した登録番組情報を案内するための制御を行うので、周辺の道路が渋滞中であることから旬と考えられる場所に関する登録番組情報を案内することができる。このことにより、番組で紹介された場所を登録したこと等をユーザ自身が覚えていなくとも、適切なタイミングでその場所に関する情報等を案内することができ、登録した情報を有効に活用することができる。
【００６５】
特に、登録番組情報に含まれる場所の位置を含む所定範囲内における渋滞中の道路の数を特定し、当該特定した数に基づき、番組情報ＤＢ７２に格納されている登録番組情報を選択するので、例えば周辺の道路の多くで渋滞が発生している場所に関する登録番組情報を選択することができる。これにより、特に人気があり旬と考えられる場所に関する情報を案内することができ、ユーザにとって有用な情報を案内することができる。
【００６６】
また、登録番組情報に含まれる場所の位置を含む所定範囲内における渋滞の変化率を特定し、当該特定した変化率に基づき、番組情報ＤＢ７２に格納されている登録番組情報を選択するので、例えば周辺の道路で渋滞が増加中の場所、すなわち人気が増してきておりこれからが旬と考えられる場所に関する情報を案内することができる。あるいは、周辺道路で渋滞が減少中の場所、すなわち人気のピークは過ぎたと考えられ、旬のうちに渋滞に煩わされることなく到着することが可能と考えられる場所に関する情報を案内することができる。これにより、ユーザにとって有用な情報を案内することができる。
【００６７】
また、道路情報取得部６１によって取得された渋滞原因情報に基づいて渋滞中の道路の渋滞の原因を特定し、当該特定した渋滞の原因に基づき、番組情報ＤＢ７２に格納されている登録番組情報を選択するので、例えば事故や工事等に起因する渋滞を除外し、場所に起因して発生した可能性が高い渋滞のみに基づいて登録番組情報を選択することができる。従って、旬な場所に関する登録番組情報を確実に選択することができる。
【００６８】
また、番組情報取得部６２によって取得された番組情報に基づいて渋滞道路情報を取得するので、最新の渋滞道路情報を取得することができ、ユーザにとって有用な情報を案内することができる。
【００６９】
また、番組情報ＤＢ７２に格納されてから閾値以上の時間が経過している登録番組情報のみを対象として選択するので、ユーザが視聴してからの経過時間が短く、ユーザ自身が覚えている登録番組情報については案内の対象から除外することができる。従って、ユーザにとって煩雑ではないタイミングで登録番組情報を案内することができる。
【００７０】
〔実施の形態２〕
次に、実施の形態２について説明する。この実施の形態２は、新設された道路と、登録番組情報に含まれる場所の位置とに基づき、番組情報格納手段に格納されている登録番組情報を選択する形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７１】
（構成）
まず、実施の形態２に係る番組情報案内装置１の構成について説明する。なお、実施の形態２に係る番組情報案内装置１の構成は道路情報取得部６１を除いて実施の形態２と同様であるので、ブロック図の図示を省略する。
【００７２】
（構成−制御部）
本実施の形態２において、道路情報取得部６１は、新設された道路を特定するための新設道路情報を取得する。「新設道路情報」とは、新設された道路を特定するための情報であり、例えば任意の記録媒体又はネットワークを介して取得した地図更新データに基づいて取得する。あるいは、番組本体情報に含まれる映像情報を対象とする画像解析、番組本体情報に含まれる音声情報を対象とする音声解析、番組付随情報を対象とする文字認識や言語解析等により、新設道路情報を取得してもよい。
【００７３】
（処理−案内制御処理）
次に、実施の形態２に係る案内制御処理について説明する。図８は案内制御処理のフローチャートである。なお、ＳＣ１は図４のＳＢ１と、ＳＣ４は図４のＳＢ４と、ＳＣ６からＳＣ７は図４のＳＢ７からＳＢ８と、ＳＣ９からＳＣ１１は図４のＳＢ１０からＳＢ１２と同じであるので、説明を省略する。
【００７４】
ＳＣ１において、番組情報ＤＢ７２に格納されてから閾値以上の日数が経過している登録番組情報がある場合（ＳＣ１、Ｙｅｓ）、道路情報取得部６１は、新設道路情報を取得する（ＳＣ２）。続いて、案内制御部６４は、道路情報取得部６１によって取得された新設道路情報に基づき、新設された道路を特定する（ＳＣ３）。
【００７５】
ＳＣ４で番組情報ＤＢ７２に格納されてから閾値以上の日数が経過している登録番組情報に含まれるＰＯＩの位置を特定した後、案内制御部６４は、ＳＣ３で特定した新設された道路と、ＳＣ４で特定したＰＯＩの位置とに基づき、ＰＯＩの位置を含む所定範囲内における新設された道路の数を特定する。そして、特定した新設された道路の数が閾値以上のＰＯＩに対応する登録番組情報を選択する（ＳＣ５）。ここで、「ＰＯＩの位置を含む所定範囲」とは、例えばその範囲における道路の多少がそのＰＯＩにアクセスする際の利便性に影響しうる範囲であり、例えばＰＯＩを中心とする半径１０ｋｍ以内の範囲をいう。また、「新設された道路の数」としては、例えば新設された道路の道路リンク数を用いる。また、新設された道路の数の「閾値」の具体的な値は任意で、例えば１本を閾値とする。
【００７６】
図９は、ＰＯＩの位置を含む所定範囲内における新設された道路を例示した図である。図９の例では、「ＰＯＩ１」を含む所定範囲（点線で囲まれた範囲）における新設された道路の数は７本、「ＰＯＩ２」を含む所定範囲における新設された道路の数は２本、「ＰＯＩ３」を含む所定範囲における新設された道路の数は４本となっている。新設された道路の数の閾値を２本とした場合、これらのＰＯＩについては全て新設された道路の数が閾値以上となっているため、これらのＰＯＩに対応する登録番組情報が選択される。
【００７７】
ＳＣ７において、ＳＣ５で複数の登録番組情報が選択されたと判定した場合（ＳＣ７、Ｙｅｓ）、案内制御部６４は、ＰＯＩの位置を含む所定範囲内における新設された道路の数の順に、そのＰＯＩに対応する登録番組情報を並べ替える（ＳＣ８）。
【００７８】
ＳＣ５で複数の登録番組情報が選択されなかった場合（すなわち１つの登録番組情報が選択された場合）（ＳＣ７、Ｎｏ）、又はＳＣ８の処理の後、案内制御部６４は、選択した登録番組情報を案内するための制御を行う（ＳＣ９）。図１０は、案内制御部６４による制御に基づき登録番組情報が出力されたディスプレイ５０を例示した図である。案内制御部６４による制御の具体的な内容は任意で、例えば図１０に示すように、登録番組情報に含まれる「ＰＯＩ名称」等をディスプレイ５０にリスト表示させる。この場合、案内制御部６４は、ＳＣ８において並べ替えた順に登録番組情報が表示されるように制御を行う。このような表示を行うことで、ユーザに、自分が過去に登録した登録番組情報の存在を思い出させることが可能となる。
【００７９】
（効果）
このように実施の形態２によれば、道路情報取得部６１によって取得された新設道路情報に基づいて特定される新設された道路と、ユーザにより登録すると指定された登録番組情報に含まれる場所の位置とに基づき、番組情報ＤＢ７２に格納されている登録番組情報を選択し、当該選択した登録番組情報を案内するための制御を行うので、周辺に道路が新設されアクセスしやすくなったと考えられる場所に関する登録番組情報を案内することができる。このことにより、番組で紹介された場所に関する情報を登録したユーザに対して、自分が過去に登録した情報の存在を思い出させることができる。
【００８０】
特に、登録番組情報に含まれる場所の位置を含む所定範囲内における新設された道路の数を特定し、当該特定した数に基づき、番組情報ＤＢ７２に格納されている登録番組情報を選択するので、例えば周辺に多くの道路が新設された場所に関する登録番組情報を選択することができる。これにより、特に開発が進みアクセスしやすくなったと考えられる場所に関する情報を案内することができ、ユーザにとって有用な情報を案内することができる。
【００８１】
また、番組情報取得部６２によって取得された番組情報に基づいて新設道路情報を取得するので、最新の新設道路情報を取得することができ、ユーザにとって有用な情報を案内することができる。
【００８２】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００８４】
（案内制御処理について）
上述の各実施の形態では、登録番組情報に含まれる「ＰＯＩ名称」等をディスプレイ５０に表示させると説明したが、操作部１０を介してユーザから登録番組情報の案内を行う旨の指示があった場合に、これらの情報をディスプレイ５０に表示させるようにしてもよい。例えば、図４のＳＢ１０で登録番組情報を案内する場合、現在人気のＰＯＩを含む登録番組情報が番組情報ＤＢ７２に格納されている旨を示すボタンをディスプレイ５０に表示させ、このボタンが押圧された場合に登録番組情報をディスプレイ５０に表示させるようにしてもよい。
【００８５】
また、上述の実施の形態１では、案内制御部６４が、ＳＢ４で特定したＰＯＩの位置を含む所定範囲内において１日の間で渋滞した道路の数や、所定範囲内における全道路の渋滞度の１日の平均値を、渋滞道路情報に基づいて日毎に集計してデータ記録部７０に記録しておき、これらに基づいて渋滞の変化率を特定すると説明したが、他の方法により渋滞の変化率を特定してもよい。例えば、公知の情報センタに設けた渋滞情報ＤＢに、各道路の渋滞度の履歴情報を記録しておく。そして、ＳＢ６において、ＳＢ４で特定したＰＯＩの位置を含む所定範囲内の各道路についての渋滞度の履歴情報をこの渋滞情報ＤＢから取得し、当該取得した履歴情報に基づいて渋滞の変化率を特定するようにしてもよい。
【符号の説明】
【００８６】
１  番組情報案内装置
１０  操作部
２０  番組受信部
３０  通信部
４０  スピーカ
５０  ディスプレイ
６０  制御部
６１  道路情報取得部
６２  番組情報取得部
６３  位置特定部
６４  案内制御部
７０  データ記録部
７１  地図情報ＤＢ
７２  番組情報ＤＢ
【図１】
2011199665.tif 000003
【図２】
2011199665.tif 000004
【図３】
2011199665.tif 000005
【図４】
2011199665.tif 000006
【図５】
2011199665.tif 000007
【図６】
2011199665.tif 000008
【図７】
2011199665.tif 000009
【図８】
2011199665.tif 000010
【図９】
2011199665.tif 000011
【図１０】
2011199665.tif 000012